(57)【要約】【課題】写真スタジオ装置のメンテナンスを容易にする。【解決手段】写真スタジオ装置１は、被写体を、少なくとも右側壁３、左側壁４、後部壁、出入り口用の開口部を有する正面壁で囲む撮影空間により構成され、右側壁３、左側壁４及び正面壁には、それぞれ、直線状の形状を有する照明用光源（例えば、直管蛍光灯）７ｈが配置されている。照明用光源７ｈを覆うように、照明用光源７ｈからの光を拡散させる光源拡散部８ｃが配置され、光源拡散部８ｃの一辺は、蝶番等の開閉部９ｅ、９ｆにより、撮影空間の壁面に開閉可能に結合されている。光源拡散部８ｃは、照明用光源７ｈの長手方向と平行な方向に稜谷線を有するレンチキュラーシート８２を備え、レンチキュラーシート８２の撮影空間側には、指向性のない拡散シート８３が重ねられている。【選択図】図６
2006317752.tif 000002
【特許請求の範囲】
【請求項１】
被写体を、少なくとも右側壁、左側壁、後部壁、出入り口用の開口部を有する正面壁で囲む撮影空間により構成される写真スタジオ装置であって、
前記右側壁、前記左側壁及び前記正面壁には、それぞれ、直線状の形状を有する１又は複数の照明用光源が配置され、
前記右側壁、前記左側壁及び前記正面壁の各々の照明用光源を覆うように、照明用光源からの光を拡散させる光源拡散部が配置され、
各光源拡散部の一辺は、前記撮影空間の壁面に開閉可能に結合されていることを特徴とする写真スタジオ装置。
【請求項２】
前記照明用光源は、蛍光灯、発光ダイオード、ＥＬ素子のうち、少なくとも１種類の光源ユニットにより構成され、
前記各光源拡散部の一辺は、前記照明用光源の長手方向に平行であることを特徴とする請求項１に記載の写真スタジオ装置。
【請求項３】
前記各光源拡散部は、前記照明用光源の長手方向と平行な方向に稜谷線を有するレンチキュラーシートを備えることを特徴とする請求項２に記載の写真スタジオ装置。
【請求項４】
前記レンチキュラーシートの撮影空間側に、指向性のない拡散シートが重ねられていることを特徴とする請求項３に記載の写真スタジオ装置。
【請求項５】
前記各光源拡散部の開閉状態を検知する検知手段と、
前記検知手段により、前記各光源拡散部のうちの少なくとも一つの開放状態が検知された場合、開放状態の光源拡散部に対応する照明用光源の発光強度を抑制する制御手段と、
を備えることを特徴とする請求項１〜４の何れか一項に記載の写真スタジオ装置。
【請求項６】
前記各光源拡散部の開閉状態を検知する検知手段と、
前記検知手段により、前記各光源拡散部のうちの少なくとも一つの開放状態が検知された場合、前記撮影空間の各壁面に配置された全ての照明用光源の発光強度を抑制する制御手段と、
を備えることを特徴とする請求項１〜４の何れか一項に記載の写真スタジオ装置。
【発明の詳細な説明】
【技術分野】
【０００１】
本発明は、被写体を撮影するための写真スタジオ装置に関する。
【背景技術】
【０００２】
一般に、写真スタジオ装置では、ストロボや写真用白熱電球、写真用蛍光灯等の照明用光源を用いてポートレート撮影が行われている。一般に効果的な照明効果を得る作業は、固定された被写体位置にあわせて、複数のライトを組合せ、適切な照明を得る必要があり、多大な工数、労力を要する。このような撮影方法は被写体の位置、ポーズをあらかじめ決定し、被写体にポーズを強要するため、撮影に慣れていない一般の人物を撮影する場合、非常に硬い表情の写真となりやすい。
【０００３】
特に、被写体が乳幼児の場合、ポーズの強要そのものが困難となり、良好な撮影結果が得られない場合が多々あった。また、乳幼児を撮影する場合、形式的な、一般に「型物」と呼ばれる旧来の記念写真ではなく、より自然な、生き生きとした表情、動きを撮影するのが好まれるが、実際のところ、このような撮影は困難であった。
【０００４】
そこで、被写体を束縛せずに自由な雰囲気で撮影できるよう、均質な照明下で撮影する写真スタジオ装置が提案されている。特許文献１では、壁面発光体で被写体を囲むことで影の無い良好な写真を簡単に撮影可能な技術が開示されている。
【特許文献１】特開２００５−３１５１１号公報
【発明の開示】
【発明が解決しようとする課題】
【０００５】
しかしながら、特許文献１に記載の写真スタジオ装置では、複数の発光壁ユニットを組み上げて大型の構造としているため、装置全体が大きくなり、メンテナンスに多大な時間を要するという問題があった。
【０００６】
本発明の課題は、写真スタジオ装置のメンテナンスを容易にすることである。
【課題を解決するための手段】
【０００７】
上記課題を解決するため、請求項１に記載の発明は、被写体を、少なくとも右側壁、左側壁、後部壁、出入り口用の開口部を有する正面壁で囲む撮影空間により構成される写真スタジオ装置であって、前記右側壁、前記左側壁及び前記正面壁には、それぞれ、直線状の形状を有する１又は複数の照明用光源が配置され、前記右側壁、前記左側壁及び前記正面壁の各々の照明用光源を覆うように、照明用光源からの光を拡散させる光源拡散部が配置され、各光源拡散部の一辺は、前記撮影空間の壁面に開閉可能に結合されていることを特徴としている。
【０００８】
請求項２に記載の発明は、請求項１に記載の写真スタジオ装置において、前記照明用光源は、蛍光灯、発光ダイオード、ＥＬ素子のうち、少なくとも１種類の光源ユニットにより構成され、前記各光源拡散部の一辺は、前記照明用光源の長手方向に平行であることを特徴としている。
【０００９】
請求項３に記載の発明は、請求項２に記載の写真スタジオ装置において、前記各光源拡散部は、前記照明用光源の長手方向と平行な方向に稜谷線を有するレンチキュラーシートを備えることを特徴としている。
【００１０】
請求項４に記載の発明は、請求項３に記載の写真スタジオ装置において、前記レンチキュラーシートの撮影空間側に、指向性のない拡散シートが重ねられていることを特徴としている。
【００１１】
請求項５に記載の発明は、請求項１〜４の何れか一項に記載の写真スタジオ装置において、前記各光源拡散部の開閉状態を検知する検知手段と、前記検知手段により、前記各光源拡散部のうちの少なくとも一つの開放状態が検知された場合、開放状態の光源拡散部に対応する照明用光源の発光強度を抑制する制御手段と、を備えることを特徴としている。
【００１２】
請求項６に記載の発明は、請求項１〜４の何れか一項に記載の写真スタジオ装置において、前記各光源拡散部の開閉状態を検知する検知手段と、前記検知手段により、前記各光源拡散部のうちの少なくとも一つの開放状態が検知された場合、前記撮影空間の各壁面に配置された全ての照明用光源の発光強度を抑制する制御手段と、を備えることを特徴としている。
【発明の効果】
【００１３】
請求項１に記載の発明によれば、大きな壁面構造の写真スタジオ装置であっても、容易に照明用光源のメンテナンスを行うことができる。
【００１４】
請求項２に記載の発明によれば、照明用光源の長手方向に障害物が少ないため、照明用光源の取り出しが容易になる。
【００１５】
請求項３に記載の発明によれば、レンチキュラーシートによって、直線状の形状を有する照明用光源からの光を効果的に拡散させることが可能となる。
【００１６】
請求項４に記載の発明によれば、レンチキュラーシートが有する稜谷線が、指向性のない拡散シートによって隠されるため、光源拡散部を背景とした撮影を行っても、自然な背景を有する撮影画像が得られる。
【００１７】
請求項５又は６に記載の発明によれば、光源拡散部が開状態となっても、照明用光源からの高輝度の光を直接見ることがなくなり、目を痛める心配がなくなる。
【発明を実施するための最良の形態】
【００１８】
以下、図面を参照して、本発明の実施形態を説明する。
まず、本実施形態における構成について説明する。
【００１９】
図１に、本発明の実施形態に係る写真スタジオ装置１の概略構成を示す。写真スタジオ装置１は、図１に示すように、出入り口用の開口部を有する正面壁２、右側壁３、左側壁４、後部壁５及び天井６で囲まれた撮影空間により構成される。なお、以下では、正面壁２、右側壁３、左側壁４、後部壁５は、何れも写真スタジオ装置１の内壁を表すものとする。
【００２０】
右側壁３、左側壁４及び天井６は、それぞれ略同一の面積であり、開口部を除く正面壁２の面積は、右側壁３、左側壁４及び天井６の何れか１つの壁面の６０％以下である。また、床面及び後部壁５は略白色の拡散面である。正面壁２、右側壁３、左側壁４、後部壁５、天井６及び床面は互いに隣接し、略直方体の形状を有する。このような撮影空間（写真スタジオ装置１の内側の撮影領域）として、例えば、図１に示すように、横幅が２．０８ｍ、奥行きが２．３８ｍ、高さが２．２８ｍ、出入り口用の開口部の幅が１．０８ｍの直方体の空間を適用することができる。なお、図１では、後部壁５と右側壁３及び左側壁４との接合部、正面壁２と右側壁３及び左側壁４との接合部を９０度とし、撮影空間の形状が直方体である場合を示しているが、当該接合部の角度を変えて設計してもよい。例えば、正面壁２の、開口部を挟んだ２つの壁面を、写真スタジオ装置１の中央部に向けて配置してもよい。また、各接合部にＲ付け（壁面接合部を曲線状に滑らかに連結する）してもよい。
【００２１】
正面壁２、右側壁３、左側壁４及び天井６には、被写体を照らす照明用光源が配置されている。以下、各壁面に配置される照明用光源の発光量について説明する。表１に、各壁面の照明用光源の発光量比率と、発光量比率毎に撮影品質を評価した結果（実撮影による官能評価の結果）を示す。
【表１】
2006317752.tif 000003
発光量比率Ａ：全光量に占める正面壁発光量の割合；
発光量比率Ｂ：正面壁発光量を除いた全光量に占める左側壁又は右側壁の発光量の割合（左側壁と右側壁の各壁面は同一光量）；
◎：非常に好ましい；
○：好ましい（商品ポートレートとして通常許容）；
△：やや問題あり（商品ポートレートとして不満足）；
×：問題あり（商品ポートレートとして不適格）．
【００２２】
表１は、発光量比率（発光量比率Ａ、発光量比率Ｂ）毎に、３項目「正面」、「俯瞰」、「背景」の評価結果を表したもので、１２種類の評価結果（水準１〜１２）からなる。「正面」項目は、人物（被写体）を入り口側に向かせ、入り口側から撮影したときの評価結果を表し、「俯瞰」項目は、人物を寝かせ、斜め上方から撮影した時の評価結果を表し、「背景」項目は、正面撮影時の背景の明るさ（適度な飛び過ぎない白で、且つ、被写体等の影が写らないことが好ましい）の評価結果を表す。
【００２３】
表１によると、発光量比率Ｂが極端に高い水準９〜１２の場合（即ち、天井光が少ない）、俯瞰撮影時の顔正面の露出がアンダー傾向となり、好ましくない。また、発光量比率Ａが極端に小さい場合、正面撮影時の顔正面の露出がアンダー傾向となり、好ましくない。更に、発光量比率Ａが極端に大きい場合、俯瞰撮影時の顔へのライティング状態が好ましくなく、良好な撮影結果が得られない。また、水準２、水準３は、撮影空間内の撮影位置によって適正露出が変動し、充分好ましい撮影結果が得らない。水準６、水準７のように照明用光源の発光量をコントロールすると、各々の評価項目で「好ましい」又は「非常に好ましい」という評価結果となり、特に、水準７の発光量比率を適用するのが最も好ましいことがわかる。
【００２４】
即ち、撮影空間の光量配分を以下のようにすることが好ましい。
（ａ）正面壁の照明用光源：全光量の２５％以上５０％以下、好ましくは３３％以上５０％以下；
（ｂ）左側壁の照明用光源、右側壁の照明用光源の各々：正面壁を除く全光量の３３％以上４２％以下；
（ｃ）天井の照明用光源：残りの光量．
【００２５】
このように、写真スタジオ装置１の光量配分を表１の水準７のようにすることにより、開口部を有する開放的なスタジオで、被写体（例えば、乳幼児）が自由に動き回っても、安定した露出と良好な照明効果を得ることができる。
【００２６】
写真撮影用の蛍光灯を用いる場合、撮影空間の各壁面には、例えば、以下のような構成で蛍光灯が配置される。
正面壁：４０Ｗ型蛍光灯、左右各７本、計１４本；
右側壁、左側壁：４０Ｗ型蛍光灯、各々７本；
天井：４０Ｗ型蛍光灯、５本．
【００２７】
このような構成で、照明用光源として直管蛍光灯を配置した例を図２〜図４に示す。
図２に、正面壁２に配置された照明用光源の一例を示す。正面壁２の左右には、上部の光源ブロックに蛍光灯７ａ〜７ｃ、下部の光源ブロックに蛍光灯７ｄ〜７ｇが配置され、各光源ブロックの蛍光灯を覆うように、蛍光灯からの光を拡散・透過させる光源拡散部８ａ，８ｂが配置されている。蛍光灯７ａ〜７ｇは、その長手方向が鉛直方向になるように配置されている。光源拡散部８ａは、蝶番等の開閉部９ａ，９ｂにより正面壁２の上部の壁面に開閉可能に結合され、光源拡散部８ｂは、開閉部９ｃ，９ｄにより正面壁２の下部の壁面に開閉可能に結合されている。また、正面壁２の照明用光源の非発光時における発光面の壁面反射率が、マンセル表色系による表記でＮ７．０程度の中性色グレーに見えるように設計される。なお、壁面反射率の調整は、光源拡散部８ａ，８ｂの光拡散性の強さや、蛍光灯の背面（光源拡散部８ａ，８ｂ側を正面として）の設計（鏡面、白色塗装面、グレー塗装面、背面に部材を置かない背面開放型等）を調整することで実施できる。
【００２８】
図３に、右側壁３及び左側壁４（以下、これらを総称して「左右壁」という。）に配置された照明用光源の一例を示す。左右壁の入り口側上部の光源ブロックには、蛍光灯７ｈが配置され、入り口側下部の光源ブロックには、蛍光灯７ｉ及び７ｊが配置され、各光源ブロックの蛍光灯を覆うように、蛍光灯からの光を拡散・透過させる光源拡散部８ｃ，８ｄが配置されている。左右壁の後部壁側上部の光源ブロックには、蛍光灯７ｋ及び７ｌが配置され、後部壁側下部の光源ブロックには、蛍光灯７ｍ及び７ｎが配置され、各光源ブロックの蛍光灯を覆うように、蛍光灯からの光を拡散・透過させる光源拡散部８ｅ，８ｆが配置されている。蛍光灯７ｈ〜７ｎは、その長手方向が鉛直方向になるように配置されている。
【００２９】
光源拡散部８ｃは、開閉部９ｅ，９ｆにより、左右壁の入り口側上部の壁面に開閉可能に結合され、光源拡散部８ｄは、開閉部９ｇ，９ｈにより、左右壁の入り口側下部の壁面に開閉可能に結合されている。光源拡散部８ｅは、開閉部９ｉ，９ｊにより、左右壁の後部壁側上部の平面に開閉可能に結合され、光源拡散部８ｆは、開閉部９ｋ，９ｌにより、左右壁の後部壁側下部の壁面に開閉可能に結合されている。また、左右壁の照明用光源の非発光時における発光面の壁面反射率が、マンセル表色系による表記でＮ７．０程度の中性色グレーに見えるように設計される。写真スタジオ装置１が、図１に示すような寸法の場合、後部壁５から０．３ｍの領域を白色反射壁とすると、正面からの撮影で右側壁３や左側壁４の光源が背景に写りこむ機会が減少し、好ましい。同様に、床面から０．３ｍの領域を白色反射壁としてもよく、俯瞰撮影時に、右側壁３や左側壁４の光源が写真背景に写りこむ機会が減少し、好ましい場合が多い
【００３０】
図２及び図３に示すように、正面壁２及び左右壁では、照明用光源が、その長手方向が鉛直方向になるように配置されることにより、被写体の背景として照明用光源が見えてしまう場合でも、背景として見苦しくなく、且つ、背丈の変化が大きい乳幼児や児童を対象とした場合でも安定した照明効果を実現できる。
【００３１】
被写体が右側壁３又は左側壁４の壁面に極端に近づいた場合、対応する側の正面壁２の照明用光源の発光が、撮影空間全体の照明効果に大きく寄与する。正面壁２の照明用光源の強さが比較的大きい（例えば、光量比で３５％以上）の場合、すっきりとした写真が得られやすいが、正面壁２に近く、右側壁３又は左側壁４の壁面にも近い位置の露出がオーバーになりやすくなる。そこで、このような場合、図３に示すように、右側壁３、左側壁４に配置する照明用光源を、後部壁５に近づくにしたがって高い密度で配置すると好ましく、写真スタジオ装置１内の正面側、角位置まで含むより広い範囲で、高い安定性を有する露出条件と、すっきりとした照明を両立することができる。このような場合においても、照明用光源を、その長手方向が鉛直方向となるように配置することが好ましく、配置位置を微妙に調整することで、少ない数の照明用光源でも、高い精度で配光の微調整を行うことができる。
【００３２】
図４に、天井６に配置された照明用光源の一例を示す。天井６には、蛍光灯７１〜７５が平行に配置されており、各蛍光灯の長手方向は左右壁の壁面に垂直になっている。各蛍光灯の配置位置は、後部壁５に近くなるほど隣接する蛍光灯の間隔が狭くなり、入り口側に近いほど隣接する蛍光灯の間隔が広くなっている。天井６は、吹き抜け構造でよく、非発光時における発光面の壁面反射率が、マンセル表色系による表記でＮ７．０程度の中性色グレーに見えるように設計されることが好ましい。なお、壁面反射率の調整は、蛍光灯の背面（即ち天井部）の設計（白色塗装面、グレー塗装面等）を調整することで実施できる。
【００３３】
なお、写真スタジオ装置１に使用される照明用光源は蛍光灯に限定されず、例えば、ＬＥＤ（Light Emitting Diode：発光ダイオード）、ＥＬ（Electronic Luminescent）素子等を用いてもよい。近年、照明用途として注目されている白色ＬＥＤは、高出力化が進み、光源として望ましい反面、色調を好ましく再現するために必要となる多様な周波数の光を十分含まない。そこで、図５に示すように、白色ＬＥＤとともに、光質改善用のＬＥＤとして、Ｒ（赤色）、Ｇ（緑色）、Ｂ（青色）の３色のＬＥＤを適宜配置することが望ましい。例えば、図２〜図４に示すような直管型の照明用光源にする場合、複数のＬＥＤ（赤色、緑色、青色、白色）を図５のように配置すればよい。
【００３４】
写真スタジオ装置１の外観は、一般的にかなり大きなものとなるため、写真スタジオ装置１周辺にメンテナンススペースを設けることは困難である。また、小さく解体してメンテナンスを行うことには多大な労力を伴う。そこで、照明用光源に対するメンテナンスは、写真スタジオ装置１内部の撮影空間側から行うことが好ましい。この際、メンテナンス対象の照明用光源に対応する光源拡散部を取り外す必要があるが、光源拡散部が余りに大きいとメンテナンス作業上、支障がある。そこで、取り外し可能な程度に小さく区分された光源拡散部に、充分な強度の補強枠或いは同等の構造が必要となる。また、写真スタジオ装置１を構成する筐体にも、強度保持のため、充分な強度の梁を必要とし、この梁は、拡散面の開口効率の関係上、光源拡散部の補強枠と同一位置に、重なるように配置される。補強枠部分は、照明用光源からの光を透過しないか、透過率が低い部分であるため、この部分に、例えば蛍光灯の発光効率の高い部分が重なると、光線の利用効率が悪くなる。直管蛍光灯の場合、両端部近傍は発光量が低い。同様に、図５に示すような複数のＬＥＤを直線状に配置した照明用光源の場合も、筐体への照明用光源の取り付けの容易さを考えると、やはり両端部近傍は明るさが低下しやすい。そこで、このような直線状の形状を有する照明用光源の両端部に、上記補強枠や梁が重なるようにすれば、効率的に光を利用することができる。
【００３５】
照明用光源の発光効率の高い部分を、拡散面全体に配置すると発光効率は高くなるが、光源拡散部により構成されるメンテナンスドアは、図２及び図３に示すように、鉛直方向の一辺の長さが、直線状の照明用光源の長手方向の長さよりも通常短くなる。また、直管蛍光灯のように、直線状の照明用光源を取り外す場合、長手方向の障害物はできるだけ少ない方がよく、蝶番等の開閉部は、開閉軸が長手方向と平行に配置されることが好ましい。
【００３６】
このような光源拡散部を有する壁面構造の一例として、図６に、図３の左右壁の左上部分に配置された光源ブロックの光源拡散部８ｃの壁面構造を示す。蛍光灯７ｈ及び光源拡散部８ｃを有する光源ブロックは、骨格部１０により保持され、骨格部１０は、例えば、鋼板を板金加工して形成される。光源拡散部８ｃは、開閉部９ｅ，９ｆ、フレーム８１、レンチキュラーシート８２及び拡散シート８３により構成される。
【００３７】
フレーム８１には、蛍光灯７ｈ側にレンチキュラーシート８２、撮影空間側に、指向性のない拡散シート８３が嵌め込まれ、フレーム８１の一辺が、蝶番等の開閉部９ｅ，９ｆにより骨格部１０に結合されることにより、フレーム８１が骨格部１０に開閉可能に保持され、光源拡散部８ｃが光源ブロックの扉（メンテナンスドア）として構成される。開閉部９ｅ，９ｆにより骨格部１０に結合されたフレーム８１の一辺は、蛍光灯７ｈの長手方向に平行である。レンチキュラーシート８２は、蒲鉾状の細いシリンドリカルレンズが多数、平行に配列されたシートで、これらシリンドリカルレンズの稜谷線が、直管蛍光灯７ｈの長手方向と平行になるように配置される。レンチキュラーシート８２は、稜谷線と直交する方向に強い光拡散効果を有するため、直管蛍光灯７ｈの光を有効に拡散させることができる。
【００３８】
図２及び図３に示す光源拡散部８ａ〜８ｆとして、通常の乳白板を用いてもよいが、光量損失が大きく、余計な光量を必要とする。本実施形態のように、直線状の形状を有する照明用光源を、当該照明用光源の長手方向と平行な方向に稜谷線を有するレンチキュラーシートで覆う構成にすると、効率的に光線を分散し、総光量を保つことができる。なお、レンチキュラーシートの代わりに、特性を調整したプリズムシート、リニアフレネルレンズを用いても、同様の効果が得られる。また、レンチキュラーシートの撮影空間側に、拡散シートを重ねることにより、照明効率を低下させることなく、よりやわらかい発光を実現することができる。
【００３９】
光源ブロックのうち、最も光量が低いのは、蝶番等の開閉部を有する筐体の梁部分近傍である。通常は梁部分の巾は小さく問題となることはないが、蝶番等の開閉部からある程度の距離をおいて、レンチキュラーシート及び拡散シートを配置することにより、光量の均質性を高めることができ、筐体の梁部分を背景として含む撮影であっても、背景の映り込みを弱めることができる。
【００４０】
なお、光源拡散部８ａ〜８ｆは取っ手を有することが好ましい。この取っ手は、例えば、留めネジであり、緩めると取っ手となる構造としてもよい。常設の取っ手を取り付ける場合、白色部材又は無色の透過性部材とし、被写体となる子供の手が届かない位置に取り付けるのが好ましい。
【００４１】
図７に、本実施形態における光源拡散部の構成を一般の写真スタジオ装置に応用した例を示す。従来の蛍光灯照明器具は、撮影用の複数の蛍光灯７０（少なくとも５本の蛍光灯）が、その長手方向が鉛直方向となるように、互いに平行に配置され、一つの面が開放された筐体１１に収められた構成となっている。筐体１１は、図７に示すように、これを写真スタジオ装置内の好ましい位置に保持するための保持部１２により吊り下げられ、或いは別途保持される。
【００４２】
筐体１１の開口部には、光の照射面サイズをより大きく、やわらかい光を得るために、反射板１３が適宜配置されている。図７に示す形態の照明の場合、光量を加減する場合は、複数の蛍光灯のうちの一部の蛍光灯を消灯し、光量を落とすことが多い。一部の蛍光灯を消灯すると、その部分の輝度が低くなるため、例えば、ポートレート撮影時のキャッチライトの形態が複雑となり、好ましくない。
【００４３】
本応用例では、図７に示すように、筐体１１の開口部に、レンチキュラーシート８４が配置され、更に、レンチキュラーシート８４の撮影空間側に、指向性のない拡散シート８５が配置される。レンチキュラーシート８４は、その稜谷線が、蛍光灯７０の長手方向と平行になるように配置される。このように、撮影用の複数の蛍光灯７０を収めた筐体１１の開口部に、レンチキュラーシート８４及び拡散シート８５を重ねて配置することにより、効果的な拡散光を生成することができる。また、一部の蛍光灯を消灯して光量を加減した場合でも、レンチキュラーシート８４の光線拡散効果が有効に機能するため、キャッチライトの形態も好ましい形となる。
【００４４】
次に、照明用光源に対するメンテナンスを実行する際の制御について説明する。
照明用光源のメンテナンス時は、該当する光源ブロックのメンテナンスドアが開放されるが、メンテンスドアの開放時に、作業者の目を痛めないように、該当する光源ブロック又は全ての光源ブロックの発光強度を抑制するのが好ましい。以下では、各光源ブロックのメンテナンスドアの開閉状態を監視し、メンテナンスドアの開放に伴って自動的に発光強度を抑制するシステムについて説明する。
【００４５】
図８に、写真スタジオ装置１におけるメンテナンスシステムの構成を示す。このメンテナンスシステムは、図８に示すように、開放検知センサ２０、開閉監視部２１、撮影制御部２２、給電制御部２３、電流制御回路２４、点灯回路２５により構成される。
【００４６】
開放検知センサ２０は、正面壁２、右側壁３、左側壁４の各光源ブロック（光源ブロックα、β、…）毎に設置されており、メンテナンスドアの開閉状態の検知結果を開閉監視部２１に出力する。開閉監視部２１は、各光源ブロックの開放検知センサ２０からの入力により、各光源ブロックメンテナンスドアの開閉状態を監視し、監視結果を撮影制御部２２に出力する。
【００４７】
撮影制御部２２は、開閉監視部２１から入力される、メンテナンスドアの監視結果に基づいて、各光源ブロックの発光量の調整（調光）を指示する制御信号を給電制御部２３に出力する。
【００４８】
例えば、撮影制御部２２は、前述のように、メンテナンスドアが開放された光源ブロックを減光状態で点灯し、その他の光源ブロックは、通常の点灯状態に維持するように給電制御部２３に指示する。また、メンテナンスドアが開放された光源ブロックを含む、全ての光源ブロックを減光状態で点灯するように給電制御部２３に指示することも好ましい。この場合、メンテナンス時の手元と、周辺環境光の明るさとのバランスがとれ、メンテナンス作業が容易になる。更に、前述のように、全ての光源ブロックを減光状態で点灯する代わりに、メンテナンスドアが開放された光源ブロックを減光状態で点灯し、その他の光源ブロックは、天井６の光源ユニットのみを通常点灯、他を消灯することとしても近似の効果が得られる。なお、写真スタジオ装置１の構造上、通電状態でのメンテナンスが危険な場合は、例えば、メンテナンスドアが開放された光源ブロックのみを消灯させ、その他の光源ブロックを全て減光状態とすることで、作業のしやすい明るさを得ることができる。
【００４９】
給電制御部２３は、撮影制御部２２から入力された制御信号に従って、各光源ブロックへ供給する電力を指示する給電制御信号を、各光源ブロックの電流制御回路２４に出力する。各光源ブロックの電流制御回路２４は、給電制御部２３から入力された給電制御信号に従って、照明用光源７の点灯回路２５に点灯、消灯、減光の何れかを指示する。
【００５０】
図９〜図１１に、撮影制御部２２の制御信号に従って、照明用光源の発光量の調整を行う調光部の構成を示す。
【００５１】
図９は、照明用光源が蛍光灯である場合の調光部の構成を示す。蛍光灯の場合、調光駆動回路２６によって、高周波の蛍光灯に供給する電力が発生し、その電流量は、給電制御部２３ａにより設定された所定値に制御される。
【００５２】
図１０は、照明用光源がＬＥＤである場合の調光部の構成を示す。ＬＥＤの場合、ＬＥＤに流す電流量を制御するための定電流制御回路２７を備え、この電流量は、給電制御部２３ｂにより設定された所定値に制御される。
【００５３】
図１１は、照明用光源がＥＬ素子である場合の調光部の構成を示す。例えば、直流で発光する有機ＥＬでは、ＥＬ素子に印加する電圧を制御する定電圧制御回路２８を備え、この電圧は、給電制御部２３ｃにより設定された所定値に制御される。ＥＬ素子の場合、高電圧の交流を印加する素子もあり、この場合は、交流の周波数、電圧によって発光量が制御される。
【００５４】
以上のような調光方式を利用することにより、発光量の調整のほか、一時的減光や非発光状態（消灯）を作り出すことが可能である。
【００５５】
本実施形態の写真スタジオ装置１によれば、大きな壁面構造の写真スタジオ装置であっても、容易に照明用光源のメンテナンスを行うことができる。また、光源拡散部の鉛直方向における一辺が、照明用光源の長手方向に平行であることにより、照明用光源の長手方向に障害物が少ないため、照明用光源の取り出しが容易になる。
【００５６】
更に、光源拡散部としてレンチキュラーシートを用いることにより、直線状の形状を有する照明用光源からの光を効果的に拡散させることが可能となる。また、レンチキュラーシートが有する稜谷線が、指向性のない拡散シートによって隠されるため、光源拡散部を背景とした撮影を行っても、自然な背景を有する撮影画像が得られる。
【００５７】
また、メンテナンスドア（光源拡散部）が開放された場合、該当する光源ブロックの発光強度を抑制することにより、照明用光源からの高輝度の光を直接見ることがなくなり、目を痛める心配がなくなる。
【図面の簡単な説明】
【００５８】
【図１】本発明の実施形態に係る写真スタジオ装置の概略構成図。
【図２】出入り口用の開口部を有する正面壁における照明用光源の配置例を示す図。
【図３】左側壁及び右側壁における照明用光源の配置例を示す図。
【図４】天井における照明用光源の配置例を示す図。
【図５】照明用光源としてＬＥＤを用いたときの配置例を示す図。
【図６】開閉部を有する壁面構造を示す図。
【図７】本実施形態における光源拡散部の構成を一般の写真スタジオ装置に応用した例を示す図。
【図８】本実施形態の写真スタジオ装置におけるメンテナンスシステムの構成を示すブロック図。
【図９】蛍光灯を照明用光源とした場合の調光部のブロック図。
【図１０】ＬＥＤを照明用光源とした場合の調光部のブロック図。
【図１１】ＥＬ素子を照明用光源とした場合の調光部のブロック図。
【符号の説明】
【００５９】
１  写真スタジオ装置
２  正面壁
３  右側壁
４  左側壁
５  後部壁
６  天井
７，７０  照明用光源
７ａ〜７ｎ，７１〜７５  直管蛍光灯
８ａ〜８ｆ  光源拡散部
９ａ〜９ｌ  開閉部
１０  骨格部
１１  筐体
１２  保持部
１３  反射板
２０  開放検知センサ
２１  開閉監視部
２２  撮影制御部
２３，２３ａ，２３ｂ，２３ｃ  給電制御部
２４  電流制御回路
２５  点灯回路
２６  調光駆動回路
２７  定電流制御回路
２８  定電圧制御回路
８１  フレーム
８２，８４  レンチキュラーシート
８３，８５  拡散シート
【図１】
2006317752.tif 000004
【図２】
2006317752.tif 000005
【図３】
2006317752.tif 000006
【図４】
2006317752.tif 000007
【図５】
2006317752.tif 000008
【図６】
2006317752.tif 000009
【図７】
2006317752.tif 000010
【図８】
2006317752.tif 000011
【図９】
2006317752.tif 000012
【図１０】
2006317752.tif 000013
【図１１】
2006317752.tif 000014